【手続補正書】
【提出日】平成22年12月16日(2010.12.16)
【手続補正１】
【補正対象書類名】明細書
【補正対象項目名】０１９１
【補正方法】変更
【補正の内容】
【０１９１】
完了するとコントローラは、あらかじめ決定済みの量のサイクルにわたって展示を反復する。別の実施態様においては、ｎサイクルの完了時にシステムが、別のあらかじめ決定済みの数のサイクルにわたる展示のために意味論上のタイプが一度にランダムに選択されるランダム・モードに入ることができる。別の実施態様においては、意味論上のタイプが、プロファイルに基づき、家族にとっての重要な日の１〜３日バッファ・ゾーン内において選択される。結婚記念日が生じようとしている場合には、システムが選択する意味論上のタイプを、前年の、または結婚後の過去数年の夫および妻の写真とすることができる。加えて、季節またはそのほかの経時的ファクタに従った特定の意味論上のタイプを選択すること等により、デジタル画像を季節に従って選択することが可能である。なお、以下に付記として本発明の構成の例を示す。
（付記１）
それぞれが別々の場所に位置決めされ、かつ展示空間内において見ることができる画像を提供する複数の別々のデジタル・メディア・フレームを使用するデジタル画像の呈示を管理するための方法であって、
複数のデジタル画像のソースに対するアクセスを提供するステップと、
呈示されるべき前記デジタル画像の少なくとも１つの意味論上の要素を定義する意味論上のタイプを決定するステップと、
前記複数の別々のデジタル・メディア・フレームの、前記デジタル画像を呈示するために使用されるべく利用可能な数を決定するステップと、
前記アクセスされたデジタル画像の前記意味論上のコンテンツを決定するステップと、
前記決定された意味論上のタイプに対応する決定された意味論上のコンテンツを有する展示のためのデジタル画像を選択するステップと、
前記決定された数のデジタル・メディア・フレームを使用して前記選択されたデジタル画像を呈示するための態様を決定するステップと、
前記選択されたデジタル画像を前記決定された態様で呈示するステップと、
を包含する方法。
（付記２）
付記１に記載の方法において、
前記複数の別々のデジタル・メディア・フレームの、前記デジタル画像データを呈示するために使用されるべく利用可能な数を決定するステップは、複数の別々のデジタル・メディア・フレームのうちの、コンテンツを、その種のコンテンツが共通の視聴エリア内の任意の位置から観察されることが可能となるように呈示できる数を決定することを包含する、方法。
（付記３）
付記１に記載の方法において、
前記選択されたデジタル画像の展示の前記態様は、順序、頻度、持続時間、または画像間遷移のタイプが前記意味論上の要素から決定されるようになされる、方法。
（付記４）
付記１に記載の方法において、
意味論上の要素は、前記個別のフレームの少なくとも１つの物理的特性と照合され、前記複数のデジタル・メディア・フレームのうちの１つでの展示のために割り当てられる、方法。
（付記５）
付記１に記載の方法において、
デジタル画像の展示のための態様を決定する前記ステップは、前記デジタル画像に関連付けられた前記少なくとも１つの意味論上の要素に基づいて展示のための態様を決定することを包含する、方法。
（付記６）
付記１に記載の方法において、
デジタル画像の展示のための態様を決定する前記ステップは、前記デジタル・メディア・フレームおよび前記デジタル画像の特性に基づいて展示のための態様を決定することを包含する、方法。
（付記７）
複数の別々のデジタル・メディア・フレームにわたってデジタル画像の展示を管理するための方法であって、
デジタル画像のソースにアクセスするステップと、
前記デジタル画像についての意味論上のタイプを決定するステップであって、前記意味論上のタイプは１つより多くの意味論上の要素を定義する、ステップと、
デジタル画像を呈示するために使用されるべき前記複数の別々のデジタル・メディア・フレームのうちの少なくとも１つのための意味論上のフィルタの選択を受信するステップであって、前記意味論上のフィルタは少なくとも１つの意味論上の要素を定義する、ステップと、
使用されるべき前記複数の別々のデジタル・メディア・フレームのうちの前記少なくとも１つに、前記少なくとも１つのディスプレイ・デバイスのために選択された前記意味論上のフィルタに従って前記デジタル画像から選択されたコンテンツを呈示させるステップと、
を包含する方法。
（付記８）
付記７に記載の方法において、
前記複数の別々のデジタル・メディア・フレームの、前記デジタル画像を呈示するために使用されるべく利用可能な数を決定するステップは、複数の別々のデジタル・メディア・フレームのうちの、コンテンツを、その種のコンテンツが共通の視聴エリア内の任意の位置から観察されることが可能となるように呈示できる数を決定することを包含する、方法。
（付記９）
付記５に記載の方法において、
前記デジタル画像の展示の前記態様は、少なくとも１つの意味論上の要素の分析によって決定される、方法。
（付記１０）
付記５に記載の方法において、
前記選択されたデジタル画像の展示の前記態様は、順序、頻度、持続時間、または画像間遷移のタイプが前記意味論上の要素から決定されるようになされる、方法。
（付記１１）
付記５に記載の方法において、
前記画像の意味論上の要素は、前記個別のフレームの少なくとも１つの物理的特性と突き合わされ、前記複数のデジタル・メディア・フレームのうちの１つでの展示のために割り当てられる、方法。
【手続補正２】
【補正対象書類名】特許請求の範囲
【補正対象項目名】全文
【補正方法】変更
【補正の内容】
【特許請求の範囲】
【請求項１】
それぞれが別々の場所に位置決めされ、かつ展示空間内において見ることができる画像を提供する複数の別々のデジタル・メディア・フレームを使用するデジタル画像の呈示を管理するための方法であって、
複数のデジタル画像のソースに対するアクセスを提供するステップと、
呈示されるべき前記デジタル画像の少なくとも１つの意味論上の要素を定義する意味論上のタイプを決定するステップと、
前記複数の別々のデジタル・メディア・フレームの、前記デジタル画像を呈示するために使用されるべく利用可能な数を決定するステップと、
前記アクセスされたデジタル画像の前記意味論上のコンテンツを決定するステップと、
前記決定された意味論上のタイプに対応する決定された意味論上のコンテンツを有する展示のためのデジタル画像を選択するステップと、
前記決定された数のデジタル・メディア・フレームを使用して前記選択されたデジタル画像を呈示するための態様を決定するステップと、
前記選択されたデジタル画像を前記決定された態様で呈示するステップと、
を包含する方法。
【請求項２】
請求項１に記載の方法において、
前記複数の別々のデジタル・メディア・フレームの、前記デジタル画像データを呈示するために使用されるべく利用可能な数を決定するステップは、複数の別々のデジタル・メディア・フレームのうちの、コンテンツを、その種のコンテンツが共通の視聴エリア内の任意の位置から観察されることが可能となるように呈示できる数を決定することを包含する、方法。
【請求項３】
請求項１に記載の方法において、
前記選択されたデジタル画像の展示の前記態様は、順序、頻度、持続時間、または画像間遷移のタイプが前記意味論上の要素から決定されるようになされる、方法。
【請求項４】
請求項１に記載の方法において、
デジタル画像の展示のための態様を決定する前記ステップは、前記デジタル画像に関連付けられた前記少なくとも１つの意味論上の要素に基づいて展示のための態様を決定することを包含する、方法。
【請求項５】
複数の別々のデジタル・メディア・フレームにわたってデジタル画像の展示を管理するための方法であって、
デジタル画像のソースにアクセスするステップと、
前記デジタル画像についての意味論上のタイプを決定するステップであって、前記意味論上のタイプは１つより多くの意味論上の要素を定義する、ステップと、
デジタル画像を呈示するために使用されるべき前記複数の別々のデジタル・メディア・フレームのうちの少なくとも１つのための意味論上のフィルタの選択を受信するステップであって、前記意味論上のフィルタは少なくとも１つの意味論上の要素を定義する、ステップと、
使用されるべき前記複数の別々のデジタル・メディア・フレームのうちの前記少なくとも１つに、前記少なくとも１つのディスプレイ・デバイスのために選択された前記意味論上のフィルタに従って前記デジタル画像から選択されたコンテンツを呈示させるステップと、
を包含する方法。